(57)【要約】【課題】  ウォータボトル側と、貯留タンク側とが仕切り開閉弁により互いに仕切られた構造において、貯留タンク内の殺菌を確実に行い得るウォータサーバを提供する。【解決手段】  ウォータボトル３からの水を一次タンク２２に受け、仕切り開閉弁２４を介して冷水タンク２内に採水し得るようにする。仕切り開閉弁の弁体を紫外線灯２８と相対向するように配置して紫外線照射を弁体前面に受け得るようにする。冷水取水弁２７の弁体も紫外線灯下部と相対向するように配置して紫外線照射を冷水取水管２６を通して受け得るようにする。紫外線灯を点灯するときには併せて仕切り開閉弁を開変換して採水させ、取水の積算量に基づく必要採水量が設定水量になれば、仕切り開閉弁を強制的に開変換し、併せて紫外線灯を点灯させる。【選択図】      図１
2010076815.tif 000002
【特許請求の範囲】
【請求項１】
貯留タンクと、飲料水としての水が予め充填され上記貯留タンクに対し着脱可能に装着されて貯留タンク内に水を供給する水源容器と、上記水源容器と貯留タンクとの間を開閉可能に仕切ることにより両者間を縁切る仕切り開閉弁と、上記貯留タンク内に配設されて貯留タンク内を殺菌する殺菌灯とを備えたウォータサーバであって、
上記仕切り開閉弁は、その弁体の前面が上記貯留タンク内の貯留空間に臨み、かつ、その弁体の前面が上記殺菌灯からの照射光を受けるように配設されている、
ことを特徴とするウォータサーバ。
【請求項２】
請求項１に記載のウォータサーバであって、
上記貯留タンクの下流側にはその開作動により上記貯留タンクから水が取り出されることになる取水開閉弁が配設され、この取水開閉弁はその弁体の前面が上記殺菌灯からの照射光を受けるように配設されている、ウォータサーバ。
【請求項３】
請求項１又は請求項２に記載のウォータサーバであって、
上記殺菌灯の点灯・消灯の制御を含む作動制御を行う制御手段を備え、
この制御手段は、消灯状態に維持するための所定時間の経過毎に殺菌のための定期点灯を繰り返す定期点灯制御と、上記貯留タンクから取水される際にその取水に連動して点灯させる取水連動制御との内の少なくとも一方を実行するように構成されている、ウォータサーバ。
【請求項４】
請求項１〜請求項３のいずれかに記載のウォータサーバであって、
上記殺菌灯の点灯・消灯の制御と、上記仕切り開閉弁を開閉制御することにより水源容器の側から貯留タンクへの採水制御とを含む作動制御を行う制御手段を備え、
この制御手段は、上記殺菌灯を点灯するときには、併せて上記仕切り開閉弁を開状態に変換するように構成されている、ウォータサーバ。
【請求項５】
請求項１〜請求項３のいずれかに記載のウォータサーバであって、
上記殺菌灯の点灯・消灯の制御と、上記仕切り開閉弁を開閉制御することにより水源容器の側から貯留タンクへの採水制御とを含む作動制御を行う制御手段を備え、
この制御手段は、上記仕切り開閉弁を開状態に変換するときには、併せて上記殺菌灯を点灯させるように構成されている、ウォータサーバ。
【発明の詳細な説明】
【技術分野】
【０００１】
本発明は、ウォータボトル等の容器に充填された水の補給をタンクに受けて飲料水として供給し得るウォータサーバに関し、特に上記容器の側とタンクの側とが仕切り開閉弁を介して互いに仕切られている（縁切りされている）場合において、タンク内を確実に殺菌するための技術に係る。
【背景技術】
【０００２】
従来、ウォータサーバとしては「ディスペンサ」とも称され、交換可能に装着されたウォータボトルから水の供給を内蔵タンクに受け、これを冷却して冷水状態に維持し、ユーザのレバー操作やコック操作により冷水を飲用として供給するものが提供されている。
【０００３】
そして、特許文献１には、飲料ディスペンサにおいて、それぞれウォータボトルが装着される複数のリザーバの側と、冷水を生成する貯留タンクの側との間に電磁弁が個別に介装され、複数の電磁弁の選択開閉によって貯留タンクへの水供給をどのリザーバから行うかを切換可能とすることが記載され、又、貯留タンク内の殺菌手段として紫外線灯を設けることが記載されている。
【０００４】
又、飲料ディスペンサにおいて、貯留タンク内の水を殺菌するための紫外線灯の他に、エア抜き孔から流入しボトルから貯留タンクへ至る経路の周囲に存在する空気を殺菌するための紫外線灯を設けることが記載されている。
【０００５】
【特許文献１】特開２００６−３４７５５７号公報
【特許文献２】特開２０００−８５８９３号公報
【発明の開示】
【発明が解決しようとする課題】
【０００６】
ところで、ウォータサーバにおいて、ボトルの側と、貯留タンクの側との間に開閉弁が介装されて両者間が互いに仕切られた構造のものがあり、このような構造の場合、その開閉弁によって仕切られた部分から貯留タンクの側の領域には管路内等の空間を含むため、そのような領域の隅々まで紫外線照射による殺菌処理を施すことは困難な状況となっている。
【０００７】
その上に、上記の開閉弁を開くことでボトルの側から貯留タンクへ水を採水すると、開閉弁によって仕切られた部分からボトルの側で繁殖した大量の細菌がその採水に伴って貯留タンク内に入り込むおそれがある。すなわち、特に、開閉弁によって仕切られた部分からボトルの側の領域は、冷却状態の貯留タンク内よりも高温の常温環境に晒されているため細菌繁殖の進行が早く、この大量の細菌が貯留タンク内に流入してしまうおそれがあると考えられる。このように大量の細菌が貯留タンク内に流入してしまうと、その結果、細菌数を一定数以下に制限するために貯留タンク内で紫外線灯の点灯を定期的に繰り返したり、取水時の点灯を組み合わせたりしたとしても、それらの紫外線照射では殺菌能力が追いつかない事態の発生するおそれが考えられる。
【０００８】
本発明は、このような事情に鑑みてなされたものであり、その目的とするところは、水源容器であるウォータボトルの側と、貯留タンクの側とが仕切り開閉弁によって互いに仕切られた構造のものにおいて、貯留タンク内の殺菌を確実に行い得るようにしたウォータサーバを提供することにある。
【課題を解決するための手段】
【０００９】
上記目的を達成するために、請求項１に係る発明では、貯留タンクと、飲料水としての水が予め充填され上記貯留タンクに対し着脱可能に装着されて貯留タンク内に水を供給する水源容器と、上記水源容器と貯留タンクとの間を開閉可能に仕切ることにより両者間を縁切る仕切り開閉弁と、上記貯留タンク内に配設されて貯留タンク内を殺菌する殺菌灯とを備えたウォータサーバを対象にして次の特定事項を備えることとした。すなわち、上記仕切り開閉弁を、その弁体の前面が上記貯留タンク内の貯留空間に臨み、かつ、その弁体の前面が上記殺菌灯からの照射光を受けるように配設することとした。
【００１０】
この請求項１に係る発明の場合、殺菌灯を点灯すれば、仕切り開閉弁の弁体前面に殺菌灯からの照射光が当たるため、水源容器と貯留タンクとの間が仕切り開閉弁によって仕切られていても、その仕切り部分から貯留タンク側の全空間をその隅々まで確実に殺菌処理し得ることになる。これにより、殺菌灯からの照射光が当たらない領域を無くして貯留タンク内の殺菌を確実に行い得ることになる。
【００１１】
この発明において、上記貯留タンクの下流側にはその開作動により上記貯留タンクから水が取り出されることになる取水開閉弁が配設されている場合、この取水開閉弁をその弁体の前面が上記殺菌灯からの照射光を受けるように配設することができる（請求項２）。このようにすることにより、殺菌灯の照射光が取水開閉弁の弁体まで当たることになり、貯留タンクと連通又は一体の貯留空間全体をその隅々まで確実に殺菌処理し得るという効果をより一層確実なものとし得る。
【００１２】
又、上記殺菌灯の点灯・消灯の制御を含む作動制御を行う制御手段を備えることとし、この制御手段として、消灯状態に維持するための所定時間の経過毎に殺菌のための定期点灯を繰り返す定期点灯制御と、上記貯留タンクから取水される際にその取水に連動して点灯させる取水連動制御との内の少なくとも一方を実行する構成とすることができる（請求項３）。このようにすることにより、紫外線灯が点灯される毎に貯留タンクの貯留空間全体に対する殺菌処理が行われることになる。
【００１３】
更に、上記殺菌灯の点灯・消灯の制御と、上記仕切り開閉弁を開閉制御することにより水源容器の側から貯留タンクへの採水制御とを含む作動制御を行う制御手段を備えることとし、この制御手段として、上記殺菌灯を点灯するときには、併せて上記仕切り開閉弁を開状態に変換する構成とすることができる（請求項４）。このようにすることにより、殺菌灯が点灯されるタイミングを利用して仕切り開閉弁が開変換されて一次タンクからの採水が行われるため、殺菌処理を行いつつも貯留タンク内をほぼ満水状態に維持させることが可能となる。
【００１４】
あるいは、上記殺菌灯の点灯・消灯の制御と、上記仕切り開閉弁を開閉制御することにより水源容器の側から貯留タンクへの採水制御とを含む作動制御を行う制御手段を備えることとし、この制御手段として、上記仕切り開閉弁を開状態に変換するときには、併せて上記殺菌灯を点灯させる構成とすることができる（請求項５）。このようにすることにより、例えば貯留タンク内の水が取水により消費されて採水の必要性が生じた場合に、仕切り開閉弁を開変換させると共に殺菌灯が点灯されるため、必要な採水の実行と共に殺菌の確実性をも担保し得ることになる。
【発明の効果】
【００１５】
以上、説明したように、請求項１〜請求項５のいずれかのウォータサーバによれば、水源容器と貯留タンクとの間が仕切り開閉弁によって仕切られていても、殺菌灯の照射光によって、その仕切り部分から貯留タンク側の全空間をその隅々まで確実に殺菌処理することができるようになる。これにより、殺菌灯からの照射光が当たらない領域を無くして貯留タンク内の殺菌を確実に行うことができるようになる。
【００１６】
特に、請求項２によれば、殺菌灯の照射光が仕切り開閉弁の弁体のみならず、取水開閉弁の弁体まで当たることになり、貯留タンクと連通又は一体の貯留空間全体をその隅々まで確実に殺菌処理することができるという請求項１に基づく効果をより一層確実なものにすることができる。
【００１７】
請求項３によれば、紫外線灯が点灯される毎に貯留タンクの貯留空間全体に対する殺菌処理を行うことができるようになる。
【００１８】
請求項４によれば、殺菌灯が点灯されるタイミングを利用して仕切り開閉弁の開変換により一次タンクからの採水を行うことができ、殺菌処理を行いつつも貯留タンク内をほぼ満水状態に維持させることができるようになる。
【００１９】
請求項５によれば、貯留タンク内の水が取水により消費されて採水の必要性が生じた場合に、必要な採水の実行と共に殺菌の確実性をも担保することができるようになる。
【発明を実施するための最良の形態】
【００２０】
以下、本発明の各実施形態を図面に基づいて説明する。
【００２１】
＜第１実施形態＞
図１は本発明の第１実施形態に係るウォータサーバの装置構成を、図２はこのウォータサーバの外観構成例を示す。両図において、符号１は外装となるハウジング、２（図１にのみ表れる）は貯留タンクとしての冷水タンク、３は上記冷水タンク２の上側に着脱可能に装着されて冷水タンク２への水の供給源となる水源容器としてのウォータボトル、４（図１にのみ表れる）は冷水タンク２内の水を冷却する冷凍回路、５（図１にのみ表れる）は冷水タンク２を介して水の供給を受ける温水タンク、６（図１にのみ表れる）は温水タンク３内の水を加熱するヒータ、７（図１にのみ表れる）は後述の殺菌灯としての紫外線灯２８の点灯・消灯の制御や採水制御を含むウォータサーバの作動制御を行う制御手段としてのコントローラである。
【００２２】
ハウジング１（図２参照）には、その上面に開口部１１が形成される一方、前面の中段位置に凹状部１２が形成され、この凹状部１２に対し冷水及び温水の２種類の飲料水を受けるコップ置き場１３が設定されている。このコップ置き場１３の上側位置に上記冷水及び温水の各取水口２７１，５２１が配置されている。又、コップ置き場１３の上側位置の前面には、ユーザが各種の入力操作を行うための操作パネル１４が配設されており、この操作パネル１４には温水取り出しのための温水用の取水スイッチ１５と、冷水取り出しのための冷水用の取水スイッチ１６とが配設されている。又、操作パネル１４の上側位置には液晶等により構成された表示部１０ａと、音声報知用のスピーカ１０ｂとが設けられている。
【００２３】
冷水タンク２（図１参照）は、その上端開口に対し蓋２０がパッキン等を介して嵌め込まれて、密閉容器に構成されている。蓋２０の略中央部位はウォータボトル３を装着させるための連結凹部２１が形成され、この連結凹部２１の中心位置には連通筒部２１ａが中心軸に沿って上向きに突出されている。この連通筒部２１ａには貫通孔が形成されており、ウォータボトル３の首部３１を天地逆転した状態で連結凹部２１に上から下に内嵌させることにより、ウォータボトル３内と冷水タンク２の側とが上記貫通孔によって連通された状態で装着されるようになっている。
【００２４】
さらに、冷水タンク２には上記連通筒部２１ａと連通するように仕切られた一次タンク２２が内蔵状態で付設され、この一次タンク２２以外の内部空間が冷水タンク２の貯留空間を構成している。上記一次タンク２２に対し上流端が開口するように接続管２３が接続され、この接続管２３の下流端が下方に延びて温水タンク５の底部に連通されている。又、接続管２３の途中から分岐管２３１が分岐され、この分岐管２３１の下流端が仕切り開閉弁２４を介して冷水タンク２に接続されている。そして、仕切り開閉弁２４が開状態に変換されると、一次タンク２２が冷水タンク２と連通されてウォータボトル３内の水が一次タンク２２から接続管２３、分岐管２３１及び仕切り開閉弁２４を通して冷水タンク２に供給（採水）されるようになっている。つまり、ウォータボトル３側である一次タンク２２と、冷水タンク２とは、仕切り開閉弁２４を閉状態にすることによって水の流通が遮断されて縁切りされた状態に仕切られる一方、仕切り開閉弁２４を開状態にすることによって互いに連通されてウォータボトル３から水を冷水タンク２内に採水し得るようにされている。上記仕切り開閉弁２４は電磁式開閉制御弁により構成されており、通常は閉状態に維持され、開状態への変換及び開状態から閉状態への復帰がコントローラ７により制御されるようになっている。
【００２５】
一方、冷水タンク２の底部には凹状に形成された溜まり部２５が形成され、この溜まり部２５から冷水取水管２６がハウジング１のコップ置き場１３の上方位置まで延ばされ、その冷水取水管２６の下流端側に設置された取水開閉弁としての冷水取水弁２７が開作動されることによりその取水口２７１から冷水タンク２内の冷水が吐出されるようになっている。この冷水取水弁２７は電磁式開閉制御弁により構成されており、通常は閉状態に維持されて、ユーザが取水スイッチ１６をＯＮ操作（押圧操作）すると、その操作信号の出力を受けてコントローラ７により開切換制御されて冷水を取水口２７１から吐出させ、取水スイッチ１６がＯＦＦ（押圧解除）されると元の閉状態に切換えるようになっている。
【００２６】
さらに、冷水タンク２内には殺菌灯として紫外線灯２８が設置され、この紫外線灯２８の点灯による紫外線照射によって内部に貯留されている水が殺菌処理されるようになっている。そして、この紫外線灯２８からの紫外線照射が上記の仕切り開閉弁２４及び冷水取水弁２７の双方の弁体まで届くようになっている。
【００２７】
より詳細に説明すると、図３（ａ）に示すように、仕切り開閉弁２４はその弁体２４１の前面が紫外線灯２８と相対向して紫外線灯２８からの紫外線照射を受け得るように配設されている。つまり、紫外線灯２８から照射される紫外線が冷水タンク２内を一直線に延びて上記弁体２４１に突き当たることになるように、紫外線灯２８と、仕切り開閉弁２４との位置関係が設定されている。又、図３（ｂ）に示すように、冷水取水弁２７もその弁体２７２の前面が紫外線灯２８と相対向して紫外線灯２８からの紫外線照射を受け得るように配設されている。すなわち、紫外線灯２８の下端部は上記溜まり部２５内まで延ばされる一方、冷水取水管２６は溜まり部２５から冷水取水弁２７まで側方に一直線状に延ばされている。冷水取水管２６の上流端２６１は溜まり部２５に対し側方から開口して連通し、下流端２６２は冷水取水弁２７の弁体２７２に相対向して弁体２７２が着座する弁座を構成している。そして、溜まり部２５には紫外線灯２８の下端部が上から下に挿入されて、紫外線灯２８から照射される紫外線が冷水取水管２６の内部空間を一直線に延びて冷水取水弁２７の弁体２７２に突き当たることになるように、紫外線灯２８と、冷水取水管２６及び冷水取水弁２７との位置関係が設定されている。以上により、紫外線灯２８を点灯すれば、紫外線灯２８からの紫外線が仕切り開閉弁２４の弁体２４１の前面までを含んだ冷水タンク２の内部空間の隅々まで照射されて殺菌されるのみならず、冷水タンク２に連通されて冷水の貯留空間の一部を構成することになる、冷水取水管２６内の上流端２６１から冷水取水弁２７の弁体２７２位置の下流端２６２（冷水取水口２７１近傍位置）までの全範囲の内部空間に亘って照射されて冷水取水管２６の内部空間に存する冷水も殺菌されるようになっている。
【００２８】
ウォータボトル３は「ガロンボトル」とも言われ、内部に飲料水が充填・収容された状態で提供されるものである。そして、このウォータボトル３がウォータサーバに対し上記の如く装着され、装着されたウォータボトル３内の飲料水が消費されて空になるたびに、新しいウォータボトル３に交換されるようになっている。
【００２９】
冷凍回路４は、内部に冷媒を封入した循環経路４１上に蒸発器を構成する冷却管４２を備えている。そして、この冷却管４２を上記冷水タンク２の周囲に巻き付け、コンプレッサ４３により圧縮した冷媒を放熱器４４で放熱させて液化させ、これを膨張させて冷却管４２に供給することにより冷水タンク２内の水から熱を奪って冷却するようになっている。この冷凍回路４はコントローラ７による冷却運転制御により作動されるようになっており、この冷却運転制御は電源が投入されてウォータサーバが使用される際に開始され、冷凍回路４を作動させて冷水タンク２内の水を所定温度まで冷却した後、一定の冷水温度範囲を維持するように保冷運転を行うようになっている。
【００３０】
温水タンク５は冷水タンク２よりも下位に、従ってウォータボトル３よりも下位に配置された密閉容器であり、内部にヒータ６が配設されている。この温水タンク５には、上記接続管２３を通して一次タンク２２内（あるいはウォータボトル３内）から水頭差に基づき水が注水され、かつ、取水により減った分だけ補給されるようになっている。従って、温水タンク５から見ると、上記ウォータボトル３のみならず一次タンク２２も水源容器を構成することになる。又、温水タンク５の頂部から温水取水管５１がハウジング１のコップ置き場の上方位置まで延ばされ、その温水取水管５１の下流端側に介装された温水取水弁５２が開作動されることによりその温水取水口５２１から温水タンク５内の温水が吐出されるようになっている。この温水取水弁５２も冷水取水弁２７と同様に電磁式開閉制御弁により構成されており、通常は閉状態に維持されて、ユーザが取水スイッチ１５をＯＮ操作（押圧操作）すると、その操作信号の出力を受けてコントローラ７により開切換制御されて温水を取水口５２１から吐出させ、取水スイッチ１５がＯＦＦ（押圧解除）されると元の閉状態に切換えるようになっている。なお、図１中の符号２３２は水抜き用配管、符号５３は過熱防止装置、符号５４は温度センサであり、過熱防止装置５３はバイメタルを用いて異常温度（例えば１０５℃）の検知によりヒータ６に対する通電を遮断するようになっている。
【００３１】
ヒータ６はコントローラ７による加熱運転制御により作動されるようになっており、この加熱運転制御は電源が投入されてウォータサーバが使用される際に開始され、ヒータ６を作動させて温水タンク５内の水を所定温度まで加熱（例えば９０℃）した後に、一定の温水温度（例えば８０℃〜９０℃）を維持するように保温運転を行うようになっている。従って、温水タンク５内の温水については加熱殺菌が施されることになる。
【００３２】
コントローラ７は、ヒータ６等の電気駆動式の要素に対する電源供給と、冷凍回路４による冷却運転及びヒータ６による加熱運転に係る制御と、冷水スイッチ１６又は温水スイッチ１５からの出力に基づく冷水又は温水の供給運転に係る制御とに加え、殺菌制御として次の定期点灯制御及び採水制御からなる制御を実行するようになっている。すなわち、コントローラ７は、図４に示すように、紫外線灯２８を定期的に点灯させて紫外線を照射させる定期点灯制御部７１と、仕切り開閉弁２４の開閉制御により一次タンク２２から冷水タンク２への採水制御を行う採水制御部７２とを備えている。
【００３３】
定期点灯制御部７１は、消灯状態を維持する消灯時間値、つまり定期点灯の時間間隔（例えば１２０分）と、定期点灯の際に点灯状態に維持する点灯時間値（例えば１０分間）とをカウントしてタイムアップ信号を出力するタイマ７１１を備えている。そして、ウォータボトル３が最初に装着されて運転開始時に点灯させて殺菌処理を行った後、タイマ７１１からのタイムアップ信号に基づいて紫外線灯２８を定期点灯させるようになっている。上記の例であると、１２０分消灯状態に維持した後に１０分だけ点灯状態に維持することを繰り返すことになる。加えて、紫外線灯２８を点灯させる際には、その点灯させる旨の点灯信号を採水制御部７２に出力するようになっている。
【００３４】
採水制御部７２は基本制御として紫外線灯２８が点灯される場合にはその点灯に併せて仕切り開閉弁２４を開状態に変換するようになっている。すなわち、定期点灯制御部７１から上記の点灯信号の出力を受けて仕切り開閉弁２４を開状態に変換し、一次タンク２２から冷水タンク２内に冷水タンク２内の貯留水が減った分だけ採水するようになっている。加えて、採水制御部７２は冷水取水弁２７からの取水に伴い冷水タンク２内の貯留水が所定の設定水量だけ減ったときには、採水が必要と判断して仕切り開閉弁２４を開状態に変換して採水すると同時に、併せてその採水の際には紫外線灯２８を点灯させるようになっている。そして、この場合には、上記の定期点灯制御とは別に紫外線灯２８を点灯させることになるため、定期点灯制御部７１のタイマ７１１をリセットしてこの採水制御に基づく点灯・消灯を起点として定期点灯のためのタイマカウントを開始させるようにする。
【００３５】
以上の定期点灯制御部７１による定期点灯制御と、採水制御部７２による採水制御との内容を図５及び図６のフローチャートに基づいて説明する。まず、図５を参照しつつ説明すると、まず、紫外線灯２８を点灯させ、これと同時にタイマ７１１による点灯タイマカウントを開始する（ステップＳ１）。加えて、仕切り開閉弁２４を開状態に変換させる（ステップＳ２）。これにより、紫外線灯２８から紫外線の照射を受けつつ、開状態の仕切り開閉弁２４から冷水タンク２内に水が供給、つまり採水されることになる。この際、冷水タンク２内の冷水貯留量がどの程度減っているか、つまり冷水取水弁２７からどの程度取水されたかは不明であるものの、取水により冷水貯留量が減少していれば、その減った分だけ採水されて冷水タンク２内は満水状態に戻される。
【００３６】
次に、タイマ７１１での点灯タイマカウントが５分を超えたか否かを判定し、超えていれば仕切り開閉弁２４を閉状態に戻し（ステップＳ３でＹＥＳ，ステップＳ４）、後述の必要採水量の記憶値をリセットする（ステップＳ５）。つまり、仕切り開閉弁２４の所定時間（上記の例では５分間）だけ開状態にすれば、取水に基づく通常程度の減少分は採水し得るため、後述の採水制御に基づく判定値である必要採水量の記憶値をリセットして、新たに必要採水量値の積算を開始するようにするのである。
【００３７】
そして、タイマ７１１による点灯タイマカウントが１０分間に到達すれば（ステップＳ６でＹＥＳ）、紫外線灯２８を消灯し、同時に点灯タイマカウントのリセットして消灯タイマカウントを開始させる（ステップＳ７）。この消灯タイマカウントが１２０分間に到達するまで紫外線灯２８を消灯状態に維持し（ステップＳ８でＮＯ，ステップＳ７）、１２０分間に到達すれば消灯タイマカウントをリセットした上で（ステップＳ８でＹＥＳ，ステップＳ９）、ステップＳ１に戻って、紫外線灯２８の点灯と、点灯タイマカウントの開始とを実行する。以後ステップＳ１〜Ｓ９の各処理を繰り返す。
【００３８】
一方、図６に示すように、併行処理により、取水状況を監視し、取水量を推定・演算し、それが所定の設定水量まで増大すれば、定期点灯制御による点灯に併せて実行する開変換とは別に、仕切り開閉弁２４を強制的に開変換して採水させるようにしている。すなわち、冷水取水スイッチ１６がＯＮされたか否かを監視し（ステップＳ１１でＮＯ）、冷水取水スイッチ１６がＯＮされたならばタイマ７２１をカウント開始させてＯＮ状態にされているＯＮ継続時間値をカウントする（ステップＳ１２）。そして、今回の取水に起因して冷水タンク２内に対し必要となる必要採水量の推定・演算を行う（ステップＳ１３）。この推定・演算は、取水により冷水タンク２内の貯留水量がどれだけ減少したかを演算し、これを今後必要となる必要採水量と推定するようにする。例えば、冷水取水弁２７の開状態では通過する取水流量が１Ｌ／ｍｉｎだとすると、１ｓｅｃ当たりに直すと１６．６７ｍＬ／ｓｅｃであり、これに上記のＯＮ状態にされたＯＮ継続時間値（単位：ｓｅｃ）を乗じれば、今回の取水量が演算により求まり、この取水量を今回の取水に基づく必要採水量であると推定する。
【００３９】
そして、メモリ７２２に記憶されている前回までの必要採水量の記憶値である合計必要採水量値に、今回推定された必要採水量を加算し（ステップＳ１４）、加算後の合計必要採水量値が設定水量値である１Ｌ以上であるか否かを判定する（ステップＳ１５）。加算後の合計必要採水量値が１Ｌ未満であれば、その合計必要採水量値をメモリ７２２に記憶・更新してステップＳ１１に戻る一方（ステップＳ１６）、加算後の合計必要採水量値が１Ｌ以上になれば、採水の実行が必要であると判断して、図５のステップＳ１以降の処理を実行して紫外線灯２８の点灯及び仕切り開閉弁２４の開変換を行う。これにより、仕切り開閉弁２４は所定時間（５分）だけ開状態にされ（ステップＳ３，Ｓ４参照）、この開変換により少なくとも上記の１Ｌ分の採水が可能であるため、メモリ７２２の必要採水量値の記憶値がリセットされる（ステップＳ５参照）。
【００４０】
以上の仕切り開閉弁２４の開変換制御による採水によって、冷水タンク２内の貯留水量が一定以上減少しない範囲に維持されると共に、その仕切り開閉弁２４の開変換の際には必ず紫外線灯２８が点灯されて仕切り開閉弁２４から流入する採水に対し紫外線が照射されるため、採水しても冷水タンク２内を確実に一定数以下の細菌数に制限した殺菌状態に維持することができるようになる。
【００４１】
＜第２実施形態＞
図７は本発明の第２実施形態に係るウォータサーバの構造を示す。この第２実施形態は仕切り開閉弁２４ａを一次タンク２２内に配設した点でのみ第１実施形態と異なり、その他の構成は第１実施形態と同じである。
【００４２】
すなわち、一次タンク２２の例えば底壁に対し冷水タンク２への流入開口を形成し、この流入開口を仕切り開閉弁２４ａの弁体で開閉切換可能に仕切って縁切りするようにしたものである。
【００４３】
この場合の仕切り開閉弁２４ａは、その弁体の前面が紫外線灯２８からの紫外線の照射方向と同方向に拡がって紫外線灯２８と相対向する位置関係ではないが、弁体の前面が冷水タンク２の内部空間に臨んで配置され、かつ、冷水タンク２がステンレス鋼材により形成されて、その内壁面に紫外線が反射したり散乱することになるため、その紫外線の反射光等が確実に当たる位置関係となる。これにより、仕切り開閉弁２４ａの弁体前面から冷水タンク２内までの領域に対しても紫外線照射による殺菌処理を確実に行うことができ、第１実施形態と同様に冷水タンク２の内部空間の隅々まで殺菌処理を行うことができるようになる。
【００４４】
＜他の実施形態＞
なお、本発明は上記第１、第２の各実施形態に限定されるものではなく、その他種々の実施形態を包含するものである。すなわち、各実施形態では殺菌灯として１本の紫外線灯２８を示したが、これに限らず、２本以上の紫外線灯を用いてもよい。１本の紫外線灯２８で殺菌灯を構成した場合には、１本だけで効率良く冷水タンク２内の殺菌処理を行うことができるという効果を得ることができる。
【００４５】
上記各実施形態では、冷水タンク２の他に温水タンク５をも備えた例を示しているが、これに限らず、本発明は少なくとも冷水タンク２を備えて構成されたウォータサーバであれば適用することができる。従って、温水タンク５を備えないウォータサーバであってもよい。又、温水タンク５を併有する場合には接続管２３の配設状況として、上記実施形態以外にも、例えば冷水タンク２の外側を通して温水タンク５に接続させるような配設状況に変更してもよい。又、上記各実施形態ではウォータボトル３内に飲料水が収容されて、これから冷水タンク２に水が供給されるというように説明しているが、ここでいう「飲料水」又は「水」はお茶やジュース等の飲用の水分を含むものである。
【００４６】
上記各実施形態では、紫外線灯２８として、下端部を溜まり部２５まで延ばして冷水取水管２６の下流端まで紫外線を照射し得るように配置した例を示したが、これに限らず、溜まり部２５を省略してもよい。この場合には、紫外線灯の下端部付近の側方位置に冷水取水管を開口させて紫外線灯からの紫外線が冷水取水管内に一直線状に延びて照射されるように配置すればよい。
【００４７】
上記実施形態では、冷水取水弁２７として電磁開閉制御弁により構成し、取水スイッチ１６のＯＮ操作により開変換する構成を採用しているが、これに限らず、ユーザのマニュアル操作に基づく手動開閉形式の冷水取水弁を採用するようにしてもよい。この場合には、手動開操作のためのレバー手段又は押しボタン手段等のマニュアル操作手段が操作されることによりコントローラ７に対しその操作に基づく電気信号を出力する操作検知スイッチを設け、この操作検知スイッチからの操作信号に基づきＯＮ継続時間値のカウントを行うようにすればよい。
【図面の簡単な説明】
【００４８】
【図１】本発明の第１実施形態を示す模式図である。
【図２】第１実施形態の外観構成例を示す斜視図である。
【図３】図１の部分拡大図であって、図３（ａ）は仕切り開閉弁付近の部分拡大図であり、図３（ｂ）は冷水取水弁付近の部分拡大図である。
【図４】点灯制御及び採水制御に係るブロック図である。
【図５】主として定期点灯制御のフローチャートである。
【図６】採水制御の主要部分のフローチャートである。
【図７】第２実施形態の図１対応図である。
【符号の説明】
【００４９】
２      冷水タンク（貯留タンク）
３      ウォータボトル（水源容器）
７      コントローラ（制御手段）
２２    一次タンク
２４，２４ａ    仕切り開閉弁
２７    冷水取水弁（取水開閉弁）
２８    紫外線灯（殺菌灯）
７１    定期点灯制御部（制御手段）
７２    採水制御部（制御手段）
２４１  仕切り開閉弁の弁体
２７２  冷水取水弁の弁体（取水開閉弁の弁体）
【図１】
2010076815.tif 000003
【図２】
2010076815.tif 000004
【図３】
2010076815.tif 000005
【図４】
2010076815.tif 000006
【図５】
2010076815.tif 000007
【図６】
2010076815.tif 000008
【図７】
2010076815.tif 000009